(57)【要約】  これは、空気濾過、ＶＯＣ軽減の分野において、及び準備ステーション、スプレーブース及び混合室を含む、空気濾過が推奨又は要求される全分野において有用な新たな再生式濾過システムに関する。本発明は、フィルタユニットの孔が、容器から圧送され、再利用されることができる油性溶液で常に湿潤状態に保たれるフィルタユニットから成り、本発明は、任意の空気流発生装置において使用されることができ、特に、本発明は、１個のダブルアクション型ファンを駆動する唯一つのモータを含む空気流再生装置の新規な構成を可能にし、本発明は、費用対効果、空間効率、エネルギ効率に優れる。【選択図】  図３
2016510248.tif 000002
【特許請求の範囲】
【請求項１】
油性溶液で湿潤状態に絶えず保たれるフィルタ要素の孔に、汚染空気を強制的に通過させることによって、前記汚染空気を濾過する方法。
【請求項２】
前記フィルタ要素は、多孔質であり、透過性である、請求項１に記載の汚染空気を濾過する方法。
【請求項３】
前記油性溶液は、前記フィルタ要素の下部に配置されたタンク内に収集され、ポンプ及びダクトによって前記フィルタ要素の上部へと引き込まれる、請求項１に記載の汚染空気を濾過する方法。
【請求項４】
前記汚染空気は、スプレーブース又は準備ステーション又は混合室から来る、請求項１に記載の汚染空気を濾過する方法。
【請求項５】
前記方法は、少なくとも１個のモータ及び１個のファンを含む空気発生装置と組合せて、又は該空気発生装置内で、使用される、請求項１に記載の汚染空気を濾過する方法。
【請求項６】
前記油性溶液は、食用ワセリンである、請求項１に記載の汚染空気を濾過する方法。
【請求項７】
前記フィルタ要素は、多孔質で、透過性であり、前記油性溶液は、前記フィルタ要素の下部に配置されたタンク内に収集され、ポンプ及びダクトによって前記フィルタ要素の上部へと引き込まれる、請求項１に記載の汚染空気を濾過する方法。
【請求項８】
前記フィルタ要素は、多孔質で、透過性であり、前記油性溶液は、前記フィルタ要素の下部に配置されたタンク内に収集され、ポンプ及びダクトによって前記フィルタ要素の上部へと引き込まれ、前記汚染空気は、スプレーブース又は準備ステーション又は混合室から来る、請求項１に記載の汚染空気を濾過する方法。
【請求項９】
前記フィルタ要素は、多孔質で、透過性であり、前記油性溶液は、前記フィルタ要素の下部に配置されたタンク内に収集され、ポンプ及びダクトによって前記フィルタ要素の上部へと引き込まれ、前記方法は、１個のモータ及び１個のファンである、請求項１に記載の汚染空気を濾過する方法。
【請求項１０】
（ａ）フィルタ要素、
（ｂ）前記フィルタ要素の上部へと油性溶液を圧送するポンプ、
（ｃ）前記フィルタ要素から出て来る前記油性溶液を収集する収集容器、
（ｄ）前記収集容器を前記フィルタ要素の上部に接続するダクト
を含む空気濾過システムであって、
前記フィルタ要素は、前記油性溶液を前記フィルタ要素の上部へと圧送する前記ポンプによって絶えず湿潤状態に保たれ、汚染空気は、強制的に前記フィルタ要素を通過させられる、方法。
【請求項１１】
前記フィルタ要素は、多孔質で、透過性である、請求項１０に記載の空気濾過システム。
【請求項１２】
前記汚染空気は、スプレーブース、準備ステーション又は混合室から来る、請求項１０に記載の空気濾過システム。
【請求項１３】
前記空気濾過システムは、少なくとも１個のモータ及び１個のファンを含む空気発生装置と組合せて、又は該空気発生装置内で、使用される、請求項１０に記載の空気濾過システム。
【請求項１４】
前記油性溶液は、食用ワセリンである、請求項１０に記載の空気濾過システム。
【発明の詳細な説明】
【技術分野】
【０００１】
本出願は、本発明者により２００３年２月１４日付けで出願された仮特許出願第６１／７６４，５７６号の利益を主張するものである。
【背景技術】
【０００２】
本発明は、空気濾過システムの一般的な分野において有用な新規な設計に関する。本発明は、２００７年３月２７日に刊行された本出願人による先の米国特許第７，１９５，６７２号の塗装準備ポスト（Ｐｒｅｐ  Ｐａｉｎｔ  Ｐｏｓｔ）の空気流発生装置に関する濾過方法に対する改良である。
【０００３】
本発明は、既存の空気濾過方法及び揮発性有機化合物（ｖｏｌａｔｉｌｅ  ｏｒｇａｎｉｃ  ｃｏｍｐｏｕｎｄ：ＶＯＣ）軽減方法に対する改良である。
【０００４】
本発明は、容器から圧送され、再利用される油性液体で絶えず湿潤状態に保たれる含浸多孔質フィルタ要素を含む新たな濾過アレンジメントを開示する。
【０００５】
本発明は、清浄な環境をオペレータに提供する。本発明は、簡単に操作でき、費用対効果、空間効率、エネルギ効率に優れ、ＶＯＣ放散を軽減し、場合によっては完全に排除できる。
【発明の概要】
【０００６】
本発明は、空気濾過システムの一般的な分野において有用な新規な設計、特にスプレーブース、準備ステーション及び混合室における空気濾過に関する。
【０００７】
上記特許の出願日以降、該特許で説明、図示及び記載した通り、本出願人のシステムを用いて作業してきただけでなく、他の既存の解決方法についても観察、研究し、空気流方向、速度及び力に影響を与えずに、濾過効率を大いに向上させる新たな濾過アレンジメントを発見した。
【０００８】
本発明は、エネルギ効率、作業実施の迅速性及び対象物の仕上がりの点で、任意のスプレーブース、準備ステーション及び混合室の有用性を大いに高めつつ、一方でＶＯＣ放散を大幅に軽減し、場合によっては完全に排除する。
【０００９】
新たな再生式濾過及びＶＯＣ軽減システムは、多孔質の透過性フィルタユニットから成り、該フィルタユニットの孔は、容器から圧送され、再利用される液体で常に湿潤状態に保たれる。
【００１０】
この液体、好適には食用ワセリンは、無臭、無毒で、耐熱性がある。
【００１１】
循環する空気全てが、フィルタ孔を通り移動し、汚染物質は、空気が大気中に放出される、又はシステムで再利用される前に、液体によって吸収される。
【００１２】
この液体が汚染物質で飽和状態になると、同液体は、適切に廃棄されることができる。
【００１３】
また、新たな再生式濾過は、２つの主なコンパートメントから成る新たな空気流再生装置構成も可能である。第１コンパートメントは、ダブルアクション型ファンを駆動する１個のモータを収容する。第２コンパートメントは、新たな再生式濾過システムを収容する。
【図面の簡単な説明】
【００１４】
【図１】再生式濾過システムの可能な構成に関する詳細を、空気流方向と共に示している。
【図２】再生式濾過システムの可能な構成に関する詳細を、空気流方向と共に示している。
【図３】再生式濾過システムを用いた可能な空気流再生装置アレンジメントに関する詳細を、空気流方向と共に示している。
【発明を実施するための形態】
【００１５】
本発明は、準備ステーション、スプレーブース、混合室の分野、及び空気濾過が推奨又は要求されるそうした全ての機能を果たす分野において有用なシステムに関する。
【００１６】
本発明は、本来の目的のために使用し易いシステムを提供する。
【００１７】
また、本発明は、コストを下げ、濾過及びＶＯＣ軽減システムの総容積を低減するために、本来の目的に必要な部品数も減少させ、その結果、安価で、高性能のユニットを実現可能にする。
【００１８】
また、本発明は、より簡単で、より効率的な部品の組合せも提供し、それにより任意のスプレーブース、準備ステーション又は混合室内に一体化されることができるコンパクトな空気流再生装置を実現可能にする。
【００１９】
また、本発明は、均一な速度を維持し、静電気を軽減し、作業領域の安全性を高め、製品の仕上り品質を向上させる、良好で、均等な空気循環も可能にする。
【００２０】
更に、本発明は、容易に設置できるシステムを提供する。
【００２１】
本発明のこれら全ての改良等については、本発明の好適実施形態が説明目的でのみ示された添付図と共に、以下の詳細な説明を注意深く研究した後、当業者には明白になるであろう。
【００２２】
図１は、フィルタ要素２が、収集容器５から油性溶液３を引込み、油性溶液３をダクト７を通して同じフィルタ要素２に滴下するポンプ６によって、油性溶液３で湿潤状態に保たれているところを示している。空気流源１は、空気流４を生成し、空気流４は、フィルタ要素２を通過し、フィルタ要素２で、空気が油性溶液３によって浄化される。
【００２３】
図２は、異なる形状のフィルタ要素２が、収集容器５から油性溶液３を引込み、油性溶液３をダクト７を通して同じフィルタ要素２に滴下するポンプ６によって油性溶液３で湿潤状態に保たれているところを示している。空気流源１は、空気流４を生成し、空気流４は、フィルタ要素２を通過し、フィルタ要素２で、空気が油性溶液３によって浄化される。
【００２４】
図３は、空気流再生装置８を示しており、該装置では、モータ９がファンを駆動し、ファンが空気吸入口１１を通して空気流再生装置内へと汚染された空気を取り込む。空気は、フィルタ要素２を通り流れるが、フィルタ要素２は、収集容器５から油性溶液３を引込み、油性溶液３をダクト７を通して同じフィルタ要素２に滴下するポンプ６によって油性溶液３により湿潤状態に保たれており、フィルタ要素２で空気が浄化される。清浄な空気が、空気吹出口１２を通り空気流再生装置８から出る。
【００２５】
この時点で、当業者には、再生式濾過ＶＯＣ軽減システムを使用して、汚染された空気を濾過することで、空気の再循環が可能となり、清浄な環境をオペレータに提供することが、明らかであるはずである。
【００２６】
空気を再循環させることで、本発明は、電力消費、必要な部品数を減少させることもでき、結果的に空気流再生装置の全容積を減少でき、よりコンパクトな設計、及び一層良好な、制御された空気循環が可能になる。
【００２７】
加えて、空気再生装置内に単独のモータ及びファンを備えることで、システムにおいて均一な速度の空気循環を維持できる。
【００２８】
更に、より少ない数の部品を使用することで、破損の確率や設置時間を低減できる。
【００２９】
また、多量の濾過された清浄な空気を存在させることで、最良の作業環境をオペレータに与えられる。
【００３０】
上記の説明は多くの特異性を含むが、本発明の範囲を限定するものではなく、単に、本発明の現在の好適実施形態の幾つかに関する説明を提供するだけのものであると解釈されるべきである。様々な他の実施形態や派生効果が、本発明の範囲内で可能である。従って、本発明の範囲は、提示した実施例よりはむしろ、付記されたクレーム及び法的な同等物によって決定されるべきである。
【符号の説明】
【００３１】
１      空気流源  
２      フィルタ要素
３      油性溶液
４      空気流
５      容器
６      ポンプ
７      ダクト
８      空気流再生装置
９      モータ
１０    ファン
１１    空気吸入口
１２    空気吹出口
【図１】
2016510248.tif 000003
【図２】
2016510248.tif 000004
【図３】
2016510248.tif 000005
【国際調査報告】
2016510248.tif 000006